(57)【要約】ポップコーン等の食品を自動加熱する装置であり、該装置が、食品を、例えば包装物として収容するための区画を備えたマガジンと、選択された区画を電子ッレンジの背部に差し向けるためにマガジンを回転させる装置と、最低位置の包装物または食品を電子レンジのフラップを強制通過させる装置とを含んでいる。電子レンジは、予め決めた温度および時間で自動加熱され、加熱後に電子レンジ底部が開いて食品または包装が落下するように、レンジ底部がヒンジ止めされている。
2004508618.tif 000002
【特許請求の範囲】
【請求項１】
加熱食品の分与装置において、
加熱ステーションに対する若干の位置のいずれかへ移動するようにされたマガジンを含み、該マガジンが、食品を保管し、かつ食品を加熱ステーションへ送出するようにされており、前記分与装置が、更に、食品を加熱ステーションへ押し込む装置と、押し込まれた単数または複数の食品を予め定めた温度および時間で加熱する装置と、加熱済み食品を放出する装置とを含むことを特徴とする、加熱食品を分与する装置。
【請求項２】
前記分与装置が、一連の動作のうちの少なくとも１動作が硬貨で操作される構成を有することを特徴とする、請求項１に記載された分与装置。
【請求項３】
前記加熱ステーションが、マガジンからの単数または複数の食品用の入口を有する電子レンジであることを特徴とする、請求項１または請求項２に記載された分与装置。
【請求項４】
前記マガジンが垂直であり、垂直軸を中心として回転可能であることを特徴とする、請求項１から請求項３までのいずれか１項に記載された分与装置。
【請求項５】
前記マガジンが、単数または複数の食品包装物用複数区画を内蔵することを特徴とする、請求項１から請求項４までのいずれか１項に記載された分与装置。
【請求項６】
前記マガジンから電子レンジへの包装物の移送が、機械式装置または空気式従属シリンダのいずれかによって操作されるプランジャによって行われ、該プランジャが、選択された区画から最低位置の包装物を電子レンジへ押し込むことを特徴とする、請求項１から請求項５までのいずれか１項に記載された分与装置。
【請求項７】
前記電子レンジの背部にフラップが設けられており、電子レンジが包装物を受容するさい、該フラップが開閉されることを特徴とする、請求項６に記載された分与装置。
【請求項８】
前記電子レンジが、予め決められた温度で包装物を加熱するために励起され、加熱後、包装物をプラットフォーム等の上へ落とせるように、電子レンジのフロアがヒンジ止めされていることを特徴とする、請求項７に記載された分与装置。
【請求項９】
電子レンジの前記フロアが、空気式従属シリンダによって開閉されることを特徴とする請求項８に記載された分与装置。
【発明の詳細な説明】
【０００１】
（発明の技術分野）
本発明は、食品、例えばポップコーン、パイ、ソーセージ入りロールパン、ピザ、その他を分与する装置に関するものである。
（背景技術）
ポップコーンは、従来、加熱容器内で製造され、加熱容器は、操作員が加熱過程またはポッピング過程を観察できるように、通常、透明にされていた。ポップコーンは、容器からしゃくしで包装物へ入れられる。種々の風味が要求される場合は、相応の数の容器が必要になろう。
単数または複数の操作員は、相応に熟練している必要がある。
【０００２】
本発明の目的は、セルフサービス用の装置を得ることにあり、かつまたそれにより熟練操作員を不要にすることにある。本発明の、別の目的は、単数または複数の食品に種々の風味その他の若干の属性を付与して、購買者がそれらを選択できるようにすることである。
本発明の更に別の目的は、係員を要しない装置を得ることである。
本発明の前記その他の目的および利点は、以下の説明で明らかになろう。
【０００３】
（発明の開示）
本発明による加熱食品の分与装置は、加熱ステーションに対する若干の位置のいずれかへ移動するようにされたマガジンを含み、該マガジンが、食品を保管し、かつ食品を加熱ステーションへ送出するようにされている。前記分与装置は、更に、食品を加熱ステーションへ押し込む装置と、押し込まれた単数または複数の食品を予め定めた温度および時間で加熱する装置と、加熱済み食品を取り出す装置とを含んでいる。
【０００４】
本発明の一好適形式によれば、分与装置は、また一連の動作のうちの少なくとも１動作が、硬貨により操作される構成を有している。
加熱ステーションは、好ましくは、マガジンからの単数または複数の食品の入口を有する電子レンジである。
マガジンは、好ましくは垂直であり、垂直軸を中心として回転可能である。マガジンは、単数または複数の食品用の複数区画を内蔵でき、区画は、好ましくは４個以上半径方向にｎ個配置される。
【０００５】
マガジンから電子レンジへの包装物の送出は、好ましくは、機械式装置または空気式従属シリンダのいずれかによって操作されるプランジャによって行われ、該プランジャは、選択された区画から最低位置の包装物を電子レンジへ押し込む。電子レンジの背部には、包装物の受容時に開閉するフラップが設けられている。
電子レンジは、次いで、励起され、予め定めた温度で包装物を加熱し、電子レンジのフロアはヒンジ止めされており、包装物は、加熱後、フロアが傾斜することでプラットフォームその他の上へ落とされる。このフロアの傾斜運動も、機械式または同じ空気式従属シリンダによって行う。
以下で添付図面につき本発明の一実施例を説明する。
【０００６】
（発明を実施するための最良の態様）
図では、マガジン１０が垂直中心軸を中心として、モータ１２によって回転可能に取り付けられている。マガジンは、単数または複数の食品包装物を収容する４つの区画１４を有している。
マガジンは、選択された区画が電子レンジ１６の背方に位置するまで回転せしめられる。この位置は、分与装置の第１位置に相当する。電子レンジンは、背部フラップ１８を有し、該背部フラップは、プランジャ２０が区画の最低位置の包装物２２を押し込むと開き、包装物は電子レンジのヒンジ付きフロア２６上へ落ちる。この状態が、分与装置の第２位置に相当する。プランジャは、チェーン３２を介して空気式従属シリンダ３０によって動作せしめられる。電子レンジのヒンジ付きフロア３６の開閉は、第２の従属シリンダ３４によって制御される。
【０００７】
包装物が定位置に着くと、背部フラップが閉じ、電子レンジ回路のスイッチが入れられ、予め決められた時間のあいだ、予め決められた温度で加熱される。次いでフロア２６が開かれ、加熱された包装物が落下し、それを購買者が受け取るが、この状態は分与装置の第３位置に相当する。
一連のイベントの操作を制御するために、硬貨により操作される機構３８が備えられ、この制御は、購買者が区画を選択した後に始まるのが好ましい。購買者が硬貨を投入し、ボタンを押すと、一連の動作がスタートする。
【図面の簡単な説明】
【図１】
説明目的で壁部除去して示す本発明による装置の等角図。
【図２】
コーン等の食品の包装物が充填された区画を示す等角図。
【図３】
装置の頂部の詳細図で、マガジンの回転を説明する図。
【図４】
プランジャ機構とオーブンフロア開閉機構とを示す等角図。
【図５】
僅かに角度を変えて示す図４同様の等角図。
【図６】
第１位置にある装置の下方区域の側面図。
【図７】
第２位置にある装置を示す同様の図。
【図８】
第３位置にある装置を示す同様の図。
【国際公開パンフレット】
2004508618.tif 000003
2004508618.tif 000004
2004508618.tif 000005
2004508618.tif 000006
2004508618.tif 000007
2004508618.tif 000008
2004508618.tif 000009
2004508618.tif 000010
2004508618.tif 000011
2004508618.tif 000012
2004508618.tif 000013
2004508618.tif 000014
2004508618.tif 000015
2004508618.tif 000016
2004508618.tif 000017
【国際公開パンフレット（コレクトバージョン）】
2004508618.tif 000018
2004508618.tif 000019
【国際調査報告】
2004508618.tif 000020
2004508618.tif 000021
2004508618.tif 000022